(57)【要約】【課題】磁界ノイズを低減する電子回路装置の提供。【解決手段】電気回路２０を有する回路基板１０を備える電子回路装置１００において、回路基板１０に実装されることにより電気回路２０と接続される周回状の内部電極３２を有するインダクタ３０と、回路基板１０に実装されることにより電気回路２０と接続され周回状の内部電極５２を有するインダクタ５０であって、インダクタ３０と相対する位置に、極性が同一の磁極が近接するよう配置されるインダクタ５０と、を備える電子回路装置とする。【選択図】図１
2010087025.tif 000002
【特許請求の範囲】
【請求項１】
電気回路を有する回路基板と、
前記回路基板に実装されることにより前記電気回路と接続される周回状の導電部を有し、前記導電部へ電流の印加によって磁極を形成する第一電子素子と、
前記回路基板に実装されることにより前記電気回路と接続される周回状の導電部を有し、前記導電部へ電流の印加によって磁極を形成する第二電子素子であって、前記第一電子素子と相対する位置に、極性が同一の磁極が近接するよう配置される第二電子素子と、を備えることを特徴とする電子回路装置。
【請求項２】
前記第一電子素子が形成する磁極の陰極側から陽極側へ向う第一方向と、前記第二電子素子が形成する磁極の陰極側から陽極側へ向う第二方向とが対向することを特徴とすることを特徴とする請求項１に記載の電子回路装置。
【請求項３】
前記第一電子素子および前記第二電子素子は、前記第一方向の軸線と前記第二方向の軸線とが同軸となるよう前記回路基板に実装されることを特徴とする請求項２に記載の電子回路装置。
【請求項４】
前記第一電子素子が形成する磁極の第一方向と、前記第二電子素子が形成する磁極の第二方向とが同一の方向であり、
前記第二電子素子は、前記第一電子素子に対して前記第一方向と直交する方向に相対するよう実装されることを特徴とする請求項１に記載の電子回路装置。
【請求項５】
前記第一電子素および前記第二電子素子は、前記回路基板の互いに異なる実装面に実装されることを特徴とする請求項１〜４のいずれか一項に記載の電子回路装置。
【請求項６】
前記第一電子素子および前記第二電子素子は、同一の仕様の電子素子であることを特徴とする請求項１〜５のいずれか一項に記載の電子回路装置。
【請求項７】
前記第一電子素子および前記第二電子素子は、周回状の前記導電部を収容するケース部を有することを特徴とする請求項１〜６のいずれか一項に記載の電子回路装置。
【請求項８】
前記第一電子素子および前記第二電子素子が有する前記導電部には、前記電気回路からパルス電流が印加されることを特徴とする請求項１〜７のいずれか一項に記載の電子回路装置。
【請求項９】
前記第一電子素子および前記第二電子素子は、直列で接続されることを特徴とする請求項１〜８のいずれか一項に記載の電子回路装置。
【請求項１０】
前記第一電子素子および前記第二電子素子は、周回状の前記導電部を有するインダクタであることを特徴とする請求項１〜９のいずれか一項に記載の電子回路装置。
【請求項１１】
前記電気回路は、入力された電流から必要とされる出力電流を生成する電源回路部を有し、
前記第一電子素子および前記第二電子素子は、前記電源回路部の入力側に接続されることを特徴とする請求項１０に記載の電子回路装置。
【請求項１２】
前記回路基板は、前記第一電子素子が実装される第一回路基板部、および前記第二電子素子が実装され前記第一基板部と相対して配置される第二回路基板部を有することを特徴とする請求項１〜１０のいずれか一項に記載の電子回路装置。
【請求項１３】
前記電気回路は、前記第一回路基板部に設けられる第一回路部、および前記第二回路基板部に設けられる第二回路部を具備し、
前記第一電子素子は、前記第一回路部に接続され、
前記第二電子素子は、前記第二回路部に接続されることを特徴とする請求項１２に記載の電子回路装置。
【請求項１４】
車載される計器に搭載されることを特徴とする請求項１〜１３のいずれか一項に記載の電子回路装置。
【発明の詳細な説明】
【技術分野】
【０００１】
本発明は、電気回路を有する回路基板を備える電子回路装置に関するものである。
【背景技術】
【０００２】
電気回路に接続された導電部に電流が流れると、導線部の近傍に磁極が形成される。この磁極の形成によって生じる、所謂磁界ノイズの放射は、電気回路に接続された電子部品および電子素子の導電部に誘導電流を誘起して、誤作動や信号の乱れ等を引き起こす。
【０００３】
従来、この磁界ノイズを低減する手法として、特許文献１には、電気回路に接続されて、特定方向に電流が流れる直線状の第一導線と、当該特定方向とは逆方向に電流が流れる直線状の第二導線と、を近接して配置する構成が開示されている。この構成によれば、第一導線および第二導線によって形成される磁極のうち、極性が同一の磁極が近接するので、第一導線および第二導線の近傍に形成された磁束が互いに交差する。故に、第一導線による磁界と第二導線による磁界とが互いに打ち消しあうので、電気回路が放射する磁界ノイズの低減を実現される。
【特許文献１】特開２００２−３６８３５８号公報
【発明の開示】
【発明が解決しようとする課題】
【０００４】
さて、電気回路を有する回路基板を備える電子回路装置においては、電子素子および電気回路の配線を密集して配置することで、小型化が進められている。このような小型化が図られた電子回路装置において、特許文献１に開示の手法を用いて、対向する電流が流れる第一導線および第二導線に相当する配線を、互いにずらして配置する。これにより、磁界ノイズの低減を試みたところ、電子回路装置から放射される磁界ノイズを十分に低減するには至らなかった。その理由は、電子回路装置から放射される磁界ノイズのうち、電気回路の形成される直線状の配線から放射される磁界ノイズよりも、電気回路に接続される周回状の導電部を有する電子素子から放射される磁界ノイズが多くを占めるためである。
【０００５】
本発明は、上記問題点に鑑みてなされたものであり、その目的は、磁界ノイズを低減する電子回路装置を提供することである。
【課題を解決するための手段】
【０００６】
上記目的を達成するために、請求項１に記載の発明は、電気回路を有する回路基板と、回路基板に実装されることにより電気回路と接続される周回状の導電部を有する第一電子素子と、回路基板に実装されることにより電気回路と接続され周回状の導電部を有する第二電子素子であって、第一電子素子と相対する位置に、極性が同一の磁極が近接するよう配置される第二電子素子と、を備えることを特徴とする。
【０００７】
この発明によれば、第一電子素子が回路基板に実装されることによって、第一電子素子が有する周回状の導線部には、接続された電気回路から電流が印加される。これにより、第一電子素子には磁極が形成され、当該磁極の方向に沿って周回する磁束による磁界ノイズが放射されることとなる。また、第二電子素子が回路基板に実装されることによって、第二電子素子が有する周回状の導線部には、接続された電気回路から電流が印加される。これにより、第二電子素子には磁極が形成され、当該磁極の方向に沿って周回する磁束による磁界ノイズ放射されることとなる。加えて、第二電子素子は、第一電子素子と相対する位置に、極性が同一の磁極が近接するよう配置されるので、各電子素子の何れかの磁極において、当該磁極近傍の磁束の方向が互いに交差する。故に、各電子素子から放射される磁界ノイズが互いに打ち消しあうこととなる。したがって、電子回路装置から放射される磁界ノイズの多くを占める、電子素子による磁界ノイズが低減されるので、放射される磁界ノイズの低減を実現する電子回路装置を提供することができるのである。
【０００８】
請求項２に記載の発明では、第一電子素子が形成する磁極の陰極側から陽極側へ向う第一方向と、第二電子素子が形成する磁極の陰極側から陽極側へ向う第二方向とが対向することを特徴とする。この発明によれば、第一電子素子が形成する磁極の第一方向と、第二電子素子が形成する磁極の第二方向とが対向するので、各電子素子の何れかの磁極において、当該磁極近傍の磁束の方向が互いに対向する。そして、第二電子素子は、第一電子素子と相対する位置に配置されるので、第一電子素子によって形成される磁束と、第二電子素子によって形成される磁束とが対向に近い角度で交差することとなる。このような磁束の交差によれば、それぞれの電子素子から放射される磁界が効果的に打ち消しあう。したがって、放射される磁界ノイズのさらなる低減を実現する電子回路装置を提供することができるのである。
【０００９】
請求項３に記載の発明では、第一電子素子および第二電子素子は、第一方向の軸線と第二方向の軸線とが同軸となるよう電子回路装置に配置されて実装される。この発明によれば、第一電子素子および第二電子素子は、第一方向と第二方向とが対向するとともに、第一方向の軸線と第二方向の軸線とが同軸となるよう配置される。故に、第一電子素子および第二電子素子のいずれかの磁極同士が確実に近接する。加えて、第一電子素子の近傍に形成される磁束と、第二電子素子の近傍に形成される磁束とが、確実に対向して交差する。これらによれば、それぞれの電子素子から放射される磁界がさらに効果的に打ち消しあうこととなる。したがって、放射される磁界ノイズのさらなる低減を実現する電子回路装置を提供することができるのである。
【００１０】
請求項４に記載の発明では、第一電子素子が形成する磁極の陰極側から陽極側へ向う第一方向と、第二電子素子が形成する磁極の陰極側から陽極側へ向う第二方向とが同一の方向であり、第二電子素子は、第一電子素子に対して第一方向と直交する方向に相対するよう実装されることを特徴とする。この発明によれば、第一電子素子および第二電子素子における陽極同士、および陰極同士が等しく近接することとなる。故に、第一電子素子の近傍に形成される磁束と、第二電子素子の近傍に形成される磁束とを、広範囲に亘って対向に近い角度で交差させ得る。故に、それぞれの電子素子から放射される磁界は、さらに効果的に打ち消しあう。したがって、放射される磁界ノイズのさらなる低減を実現する電子回路装置を提供することができるのである。
【００１１】
ここで、第一電子素子および第二電子素子が回路基板の同一の実装面に実装される場合、各電子素子の周囲には、各電子素子を実装するための作業空間を要することとなる。故に、第一電子素子および第二電子素子を近接させ難くなり、それぞれの電子素子から放射される磁界が効果的に打ち消しあわなくなる懸念がある。そこで、請求項５に記載の発明では、第一電子素および第二電子素子を、回路基板の互いに異なる実装面に実装する。これにより、第一電子素子および第二電子素子の磁極を容易に近接させることができるので、第一電子素子の近傍に形成される磁束と、第二電子素子の近傍に形成される磁束とを広範囲に亘り交差させることができる。故に、それぞれの素子から放射される磁界はさらに効果的に打ち消しあうので、放射される磁界ノイズのさらなる低減を実現する電子回路装置が提供し得るのである。
【００１２】
請求項６に記載の発明では、第一電子素子および第二電子素子は、同一の仕様の電子素子である。この発明によれば、同一の仕様である第一電子素子および第二電子素子の近傍に形成される磁束同士は相似する。故に、それぞれの電子素子の近傍に形成される磁束同士が対向に近い角度で交差するよう、第一電子素子および第二電子素子を配置し易い。したがって、それぞれの電子素子から放射される磁界を効果的に打ち消しあわせ、放射される磁界ノイズの低減を実現する電子回路装置を容易に提供し得るのである。
【００１３】
請求項７に記載の発明では、第一電子素子および第二電子素子は、周回状の導電部を収容するケース部を有する。この発明によれば、周回状の導電部がケース部に収容されることで、電子部品から外部へ放射される磁界ノイズの一部が当該ケース部によって遮蔽される。加えてケース部は、外部で放射された磁界ノイズの一部を遮蔽して、当該ケース部内へ収容された導電部における誘導電流の誘起を抑制する。このケース部による磁界ノイズの遮蔽作用により、第一電子素子および第二電子素子を近接させた場合においても、一方の電子素子から放射された磁界ノイズに起因した他方の電子素子の誤作動や信号の乱れが引き起こされ難い。故に、電子素子の作動を損なうことなく、第一電子素子および第二電子素子をさらに近接させて、効果的に磁界ノイズを打ち消し合わせることができるのである。
【００１４】
請求項８に記載の発明では、第一電子素子および第二電子素子の導電部には、電気回路からパルス電流が印加される。この発明によれば、電気回路から導電部にパルス電流が印加されることによれば、それぞれの電子素子の近傍では大きな磁束の密度変化が生じる。しかし、第一電子素子および第二電子素子の双方に磁極が形成されて、近接する磁極の近傍に形成される磁束が交差することによれば、放射される磁界ノイズは低減される。故に、パルス電流が流れる第一電子素子および第二電子素子において、本発明による磁界ノイズの低減効果は顕著に発揮されるのである。
【００１５】
請求項９に記載の発明では、第一電子素子および第二電子素子は、直列で接続される。この発明によれば、第一電子素子および第二電子素子が直列で接続されている場合、第一電子素子および第二電子素子に流れる電流が同期する。故に、第一電子素子および第二電子素子から放射される磁界ノイズが同期することとなり、それぞれの電子素子から放射される磁界を安定的に打ち消しあわせることができる。したがって、放射される磁界ノイズの安定的な低減を実現する電子回路装置を提供することができるのである。
【００１６】
請求項１０に記載の発明では、第一電子素子および第二電子素子は、周回状の導電部を有するインダクタである。この発明によれば、インダクタが有する導電部は、一般に導線が幾重にも周回している導電部であることから、放射される磁界ノイズが大きい。故に、第一電子素子および第二電子素子がインダクタである場合、第一電子素子および第二電子素子近傍に形成される磁束の方向を交差させることによる、本発明の磁界ノイズ低減効果を顕著に獲得することができるのである。
【００１７】
請求項１１に記載の発明では、電気回路は、入力された電流から必要とされる出力電流を生成する電源回路部を有し、第一電子素子および第二電子素子は、電源回路部の入力側に接続されることを特徴とする。この発明によれば、入力された電流から必要とされる出力電流を生成する電源回路部には、一般に電気回路の中で最大級の電流が流入する。加えて、第一電子素子および第二電子素子が、電源回路部の入力側に接続されるインダクタであるため、当該各電子素子の近傍では大きな磁束の密度変化が生じる。しかし、第一電子素子および第二電子素子の双方に磁極が形成されて、近接する磁極の近傍に形成される磁束が交差することによれば、放射される磁界ノイズの増加を抑えることができる。故に、電源回路部の入力側に接続されるインダクタに本発明を適用することで、放射する磁界ノイズの大幅な低減を実現する電子回路装置を提供することができるのである。
【００１８】
請求項１２に記載の発明では、回路基板は、第一電子素子が実装される第一回路基板部、および第二電子素子が実装され第一基板部と相対して配置される第二回路基板部を有する。この発明によれば、回路基板が第一回路基板部および第二回路基板部を有し、第一電子素子および第二電子素子が異なる第一回路基板部および第二回路基板部に実装される。以上の構成においても、第一電子素子および第二電子素子の双方に磁極が形成されて、近接する磁極の近傍に形成される磁束が交差することになるので、放射される磁界ノイズは低減されることとなる。したがって、それぞれの電子素子が別れて実装されて、相対するよう配置された配線基板部を備える電子回路装置であっても、磁界ノイズの低減を実現することができるのである。
【００１９】
請求項１３に記載の発明では、電気回路は、第一回路基板部に設けられる第一回路部、および第二回路基板部に設けられる第二回路部を具備し、第一電子素子は、第一回路部に接続され、第二電子素子は、第二回路部に接続される。この発明によれば、第一電子素子および第二電子素子は、相対する第一回路基板部および第二回路基板部のそれぞれに設けられた、電気回路が有する第一回路部および第二回路部にそれぞれ接続される。以上の構成においても第一電子素子および第二電子素子の双方に磁極が形成されて、近接する磁極の近傍に形成される磁束が交差することになるので、放射される磁界ノイズは低減されることとなる。したがって、それぞれの電子素子が、相対するよう配置された各回路基板部にそれぞれ設けられた第一回路部および第二回路部に接続されている場合であっても、磁界ノイズの低減を実現することができるのである。
【００２０】
請求項１４に記載の発明では、車載される計器に搭載されることを特徴とする。上述したように、第一電子素子および第二電子素子の配置によって極性が同一の磁極を近接させ、磁束を交差させる本発明の作用発揮によれば、電子素子および電気回路の配線が密集して配置された電子回路装置であっても、磁界ノイズの低減を図ることができる。したがって、空間的制約が厳しく、磁界ノイズによる他の電子機器への影響が懸念される車載用計器の電子回路装置として、請求項１４に記載の発明は、特に好適なのである。
【発明を実施するための最良の形態】
【００２１】
以下、本発明の複数の実施形態を図面に基づいて説明する。尚、各実施形態において対応する構成要素には同一の符号を付すことにより、重複する説明を省略する。
【００２２】
（第一実施形態）
図１は、本発明の第一実施形態による電子回路装置１００である。電子回路装置１００は、回路基板１０に、インダクタ３０，５０および図示しない他の電子部品等が実装されてなる。尚、インダクタ３０が配置されている側（図１の上方）を回路基板１０の表面側とする。
【００２３】
まず回路基板１０が有する、図２に示す電気回路２０について説明する。電気回路２０は、回路基板１０（図１参照）に形成され、インダクタ３０，５０、コンデンサ２３、および電源供給回路部２１を有している。インダクタ３０，５０は、入力される電流を平滑化するための電子素子であって、入力電流の増加に対して抵抗する。インダクタ３０およびインダクタ５０は、同一の仕様であり、同一のインダクタンスを備えている。インダクタ３０およびインダクタ５０は、直列で接続されており、電源供給回路部２１の入力側に接続されている。コンデンサ２３は、インダクタ３０，５０と同様に、入力される電流を平滑化するための電子素子であって、入力電流の減少に対して抵抗する。コンデンサ２３の一端側はインダクタ３０の出力側に接続され、他端側は接地されている。このような構成において、インダクタ３０，５０およびコンデンサ２３には、整流器（図示しない）によって整流された、例えば１００〜３００Ｈｚで脈動する、数１００ｍＡ程度のパルス電流が流れる。インダクタ３０，５０およびコンデンサ２３は、電気回路から流されるパルス電流の脈動を低減し、平滑な直流電流を電源供給回路部２１に供給する。
【００２４】
加えて、電源供給回路部２１は、入力された電流から所望の電圧値を備えた電流を供給するＤＣ−ＤＣ電源回路であって、特にスイッチング素子（図示しない）を用いるスイッチング制御方式の電源回路である。電源供給回路部２１は、供給された直流電流をスイッチング素子によって矩形波状の電流に変換する。この矩形波状の電流は、電源供給回路部２１によって再び整流および平滑化される。電源供給回路部２１は、スイッチング素子を制御することにより、矩形波の一周期における電圧が高い時間の割合を変化させる。このスイッチング素子の制御によって、電源供給回路部２１は所望の電圧値を備える出力電流を生成するのである。
【００２５】
図１に示すように回路基板１０は、以上説明した構成の電気回路２０を複数の層に亘り形成している多層基板である。回路基板１０は、電気回路２０を構成している４つの配線層１３を備える４層基板である。回路基板１０は、配線層１３に加えて、絶縁層１１、スルーホール１５、および被覆層１７を備えている。絶縁層１１は、絶縁性材料であって、ガラス繊維の織物であるガラス繊維布をエポキシ樹脂によって固めたガラス・エポキシ板により形成されている。絶縁層１１は、表面側絶縁層１１ａ、内部絶縁層１１ｂ、裏面側絶縁層１１ｃを有している。
【００２６】
配線層１３は、導電性材料である銅箔等からなり、所定の配線パターンに形成されている。配線層１３は、表面側配線層１３ａ、裏面側配線層１３ｄ、電源配線層１３ｂ、および接地配線層１３ｃを有している。表面側配線層１３ａおよび裏面側配線層１３ｄは、回路基板１０に実装されている各電子部品間を電気的に接続しており、各配線層１３ａ，１３ｄによって主に各電子部品間での電気信号の交信が行われる。表面側配線層１３ａは表面側絶縁層１１ａの表面側に、裏面側配線層１３ｄは裏面側絶縁層１１ｃの裏面側に、それぞれ形成されている。電源配線層１３ｂは各電子部品へ接続されており、電源配線層１３ｂによって各電子部品に電力が供給される。接地配線層１３ｃは各電子部品へ接続されており、接地配線層１３ｃによって各電子素子における接地が行われている。
【００２７】
スルーホール１５は、絶縁層１１および配線層１３を板厚方向に貫通する貫通孔である。スルーホール１５の周壁部および表面側開口部の周縁部には、導電性材料である銅材等からなるスルーホール・メッキ１６が設けられている。スルーホール・メッキ１６は、表面側開口部の周縁部に設けられた実装部１６ａと、周壁部に設けられた接続部１６ｂとを形成している。実装部１６ａは、表面側配線層１３ａの表面側に設けられており、はんだ１８によってインダクタ３０が表面側に接続されている。また実装部１６ａは、接続部１６ｂによって電源配線層１３ｂと電気的に接続されている。これらによれば、スルーホール・メッキ１６により電源配線層１３ｂおよびインダクタ５０や、インダクタ３０およびインダクタ５０の電気的な接続が形成されている。
【００２８】
被覆層１７は、表面側絶縁層１１ａおよび表面側配線層１３ａの表面側と、裏面側絶縁層１１ｃおよび裏面側配線層１３ｄの裏面側とに形成される薄膜状の被覆である。被覆層１７は、耐熱性を備えた絶縁性材料であるエポキシ樹脂系材料等により形成されている。被覆層１７は、実装部１６ａの表面側等には形成されておらず、はんだ１８による各電子回路の接続を妨げないようにされている。
【００２９】
インダクタ３０，５０は、それぞれの軸線３０ａｘ，５０ａｘを基準に、導線が周回状に設けられた積層型のインダクタである。インダクタ３０，５０は、内部電極３２，５２、フェライトコア３６，５６、および外部電極３４，５４等を有している。インダクタ３０，５０は、数分の１周分に相当する導線パターンを印刷したフェライトからなる薄いシート基材が積層されることによって構成されている。内部電極３２，５２は、積層された導線パターンによって周回状に形成されている。フェライトコア３６，５６は、積層されたフェライトの基材によって形成されている。外部電極３４，５４は、周回状に配置された内部電極３２，５２と電気的に接続されているとともに、回路基板１０の配線層１３と接続される接点部３４ａ，５４ａを有している。尚、インダクタ３０およびインダクタ５０は、請求項に記載の「第一電子素子」および「第二電子素子」に、内部電極３２，５２は、請求項に記載の「導電部」に、それぞれ相当する。
【００３０】
インダクタ３０は回路基板１０に実装されることによって、周回状の内部電極３２が電気回路２０に接続される。インダクタ３０の内部電極３２に電気回路２０から電流が印加されることにより、インダクタ３０は、回路基板１０側に陰極３０ｂを、当該陰極３０ｂと相対する側に陽極３０ｈをそれぞれ形成する。これにより、本実施形態における第一方向３０ｄは、回路基板１０の平面方向と直交し、裏面側から表面側に向う方向となる。インダクタ３０がこのような磁極を形成する場合、内部電極３２は第一方向３０ｄに対して右回りに周回しており、且つ電流は第一方向３０ｄに向って流れている。以上の構成により、インダクタ３０には第一方向３０ｄに対して右回りに周回する電流４０ａｒが流れ、第一方向３０ｄに沿って周回する磁束３０ｆが形成されるのである。
【００３１】
インダクタ５０が回路基板１０に実装されることによって、インダクタ５０の周回状の内部電極５２は電気回路２０に接続される。インダクタ５０の内部電極５２に電気回路２０から電流が印加されることにより、インダクタ５０は、回路基板１０側に陰極５０ｂを、当該陰極５０ｂと相対する側に陽極５０ｈをそれぞれ形成する。これにより、本実施形態における第二方向５０ｄは、回路基板１０の平面方向と直交し、表面側から裏面側に向う方向となる。インダクタ５０がこのような磁極を形成する場合、内部電極５２は第二方向５０ｄに対して右回りに周回しており、且つ電流は第二方向５０ｄに向って流れている。以上の構成により、インダクタ５０には第二方向５０ｄに対して右回りに周回する電流４０ａｒが流れ、第二方向５０ｄに沿って周回する磁束５０ｆが形成されるのである。
【００３２】
加えてインダクタ５０は、インダクタ３０と相対する位置に、極性が同一である陰極３０ｂおよび５０ｂが近接するよう配置される。また、インダクタ５０の実装される第二方向５０ｄは、インダクタ３０の実装される第一方向３０ｄと対向している。さらに、インダクタ５０の第二方向５０ｄに沿った軸線５０ａｘは、インダクタ３０の第一方向３０ｄに沿った軸線３０ａｘと同軸となっている。また、インダクタ３０およびインダクタ５０は、回路基板１０の互いに異なる実装面に実装されている。
【００３３】
以上説明した本実施形態では、それぞれのインダクタ３０，５０は、陽極３０ｈ，５０ｈ側がら陰極３０ｂ，５０ｂ側に向って周回する磁束３０ｆ，５０ｆを形成する。そして、インダクタ３０およびインダクタ５０の陰極３０ｂおよび陰極５０ｂが互いに近接するよう配置されていることで、当該陰極３０ｂ，５０ｂ近傍の磁束３０ｆ，５０ｆの方向が互いに交差するのである。このように、磁束３０ｆ，５０ｆの方向が互いに交差することで、それぞれのインダクタ３０，５０が放射する磁界ノイズが互いに打ち消しあうこととなる。したがって、インダクタ３０，５０による磁界ノイズが抑えられるので、放射される磁界ノイズの低減を実現する電子回路装置１００を提供することができるのである。
【００３４】
加えて本実施形態では、インダクタ３０，５０は、第一方向３０ｄと第二方向５０ｄとが対向し、且つ第一方向３０ｄの軸線３０ａｘと第二方向５０ｄの軸線５０ａｘとが同軸となるよう配置されている。そのため、陰極３０ｂ，５０ｂ近傍の磁束３０ｆ，５０ｆの方向が互いに近接した状態で、対向して交差する。さらに、インダクタ３０およびインダクタ５０が回路基板１０の互いに異なる実装面に実装されることによって、インダクタ３０の陰極３０ｂおよびインダクタ５０の陰極５０ｂの間隔を小さくすることができる。故に、磁束３０ｆおよび磁束５０ｆが、広範囲に亘って、対向する方向に交差することとなる。したがって、それぞれのインダクタ３０，５０から放射される磁界ノイズが効果的に打ち消しあうこととなり、さらなる磁界ノイズの低減を実現する電子回路装置１００を提供することができるのである。
【００３５】
また本実施形態では、インダクタ３０およびインダクタ５０が同一の仕様であることから、それぞれのインダクタ３０，５０の近傍に形成される磁束３０ｆおよび磁束５０ｆは互いに相似することとなる。さらに、第一方向３０ｄの軸線３０ａｘと第二方向５０ｄの軸線５０ａｘとが同軸となるよう配置されているので、磁束３０ｆ，５０ｆを互いに対向に近い角度で交差させることができる。このように、インダクタ３０およびインダクタ５０を同一の仕様とすることで、磁界ノイズが効果的に打ち消しあうインダクタ３０，５０の配置が容易となる。したがって、放射される磁界ノイズの低減を実現する電子回路装置１００を容易に提供し得るのである。
【００３６】
さらに本実施形態では、インダクタ３０およびインダクタ５０が直列で接続されているので、当該インダクタ３０，５０に流れる電流が同期する。故に、インダクタ３０およびインダクタ５０から放射される磁界ノイズが同期することとなり、それぞれのインダクタ３０，５０から放射される磁界は安定的に打ち消しあうこととなる。加えて、本実施形態では、一つのインダクタが、インダクタ３０，５０に敢えて分割され、直列で接続されている。インダクタが放射する磁界ノイズは、当該インダクタが備えるインダクタンスに比例するので、分割された個々のインダクタ３０，５０から放射される磁界ノイズは減少する。そして、分割によって減少した磁界ノイズ同士が打ち消しあうこととなる。以上によれば、二つのインダクタ３０，５０に分割して直列に接続することにより、一つのインダクタを接続する場合と比較して、インダクタンスを維持したままで、放射される磁界ノイズの大幅な低減が実現されるのである。
【００３７】
また加えて本実施形態では、インダクタ３０，５０は幾重にも周回する内部電極３２，５２を有している。このように、種々の電子素子の中でも、インダクタは特に放射される磁界ノイズが大きくなり易い。故に、インダクタに本発明を適用することで、磁界ノイズの同士の打ち消しあいによる、本発明の磁界ノイズ低減効果を顕著に獲得することができるのである。
【００３８】
さらに加えて本実施形態では、電源供給回路部２１の入力側に接続されるインダクタ３０およびインダクタ５０には、電気回路２０のなかでも最大級の電流が印加される。さらに、インダクタ３０およびインダクタ５０に流入する電流が脈動を備えていることによって、磁束３０ｆおよび磁束５０ｆは大きな密度変化を生じる。しかし、インダクタ３０およびインダクタ５０の双方によって磁束３０ｆおよび磁束５０ｆが形成されて、当該磁束３０ｆ，５０ｆが互いに打ち消しあう本発明の作用発揮によれば、放射される磁界ノイズの増加を抑えることができる。このように、電源供給回路部２１の入力側に接続されるインダクタ３０，５０に本発明を適用することで、放射する磁界ノイズの大幅な低減を実現する電子回路装置１００を提供することができるのである。
【００３９】
（第二実施形態）
図３に示すように、本発明の第二実施形態は第一実施形態の変形例である。第二実施形態における電子回路装置２００は、回路基板２１０の同一面に、インダクタ２３０，２５０が実装されている。尚、インダクタ２３０，２５０が実装されている実装面を、回路基板２１０の表面側とする。加えて図３では、回路基板２１０に実装される他の電子素子等は省略する。
【００４０】
インダクタ２３０，２５０は、フェライトコア２３６，２５６、巻線部２３１，２５１、外部電極２３４，２５４、および外装部２３７，２５７を有している。フェライトコア２３６，２５６は、フェライト材よりなり、軸線２３０ａｘ，２５０ａｘを中心線とする円柱状の部材である。巻線部２３１，２５１は、フェライトコア２３６，２５６の軸線２３０ａｘ，２５０ａｘを中心に、周回状に巻かれている。外部電極２３４，２５４は、周回状に配置された巻線部２３１，２５１と電気的に接続されているとともに、回路基板２１０の表面側に形成されている配線層１３と接続される接点部２３４ａ，２５４ａを具備している。外装部２３７，２５７は、樹脂材料からなり、巻線部２３１，２５１が巻かれたフェライトコア２３６，２５６を収容している。尚、インダクタ２３０およびインダクタ２５０は、請求項に記載の「第一電子素子」および「第二電子素子」に、巻線部２３１，２５１は、請求項に記載の「導電部」に、外装部２３７，２５７は、請求項に記載の「ケース部材」に、それぞれ相当する。
【００４１】
インダクタ２３０は回路基板２１０に実装されることによって、周回状の巻線部２３１が電気回路２０に接続される。インダクタ２３０の巻線部２３１に電気回路２０から電流が印加されることにより、インダクタ２３０は、インダクタ２５０側（図３の左側）に陰極２３０ｂを、当該陰極２３０ｂと相対する側（図３の右側）に陽極２３０ｈをそれぞれ形成する。これにより、第二実施形態における第一方向２３０ｄは、図３において、回路基板２１０の平面方向に沿って右方向とする。インダクタ２３０がこのような磁極を形成する場合、巻線部２３１は第一方向２３０ｄに対して右回りに周回するよう巻設されており、且つ電流は第一方向２３０ｄに向って流れている。以上の構成によれば、インダクタ２３０には第一方向２３０ｄに対して右回りに周回する電流４０ａｒが流れ、第一方向２３０ｄに沿って周回する磁束２３０ｆが形成されるのである。
【００４２】
インダクタ２５０は回路基板２１０に実装されることによって、周回状の巻線部２５１が電気回路２０に接続される。インダクタ２５０の巻線部２５１に電気回路２０から電流が印加されることにより、インダクタ２５０は、インダクタ２３０側（図３の右側）に陰極２５０ｂを、当該陰極２５０ｂと相対する側（図３の左側）に陽極２５０ｈをそれぞれ形成する。これにより、第二実施形態における第二方向２５０ｄは、図３において、回路基板２１０の平面方向に沿って左方向とする。インダクタ２５０がこのような磁極を形成する場合、巻線部２５１は第二方向２５０ｄに対して右回りに周回するよう巻設されており、且つ電流は第二方向２５０ｄに向って流れている。以上の構成により、インダクタ２５０には第二方向２５０ｄに対して右回りに周回する電流４０ａｒが流れ、第二方向２５０ｄに沿って周回する磁束２５０ｆが形成されるのである。
【００４３】
以上の構成によれば、インダクタ２３０およびインダクタ２５０は、第一方向２３０ｄおよび第二方向２５０ｄが対向して配置され、それぞれの陰極２３０ｂ，２５０ｂが近接することによれば、陰極２３０ｂ，２５０ｂ近傍の磁束２３０ｆおよび磁束２５０ｆが互いに交差することになるのである。したがって、インダクタ２３０，２５０から磁界がノイズ放射されても、磁界ノイズ同士が打ち消しあうので、放射される磁界ノイズの低減を実現する電子回路装置２００を提供することができるのである。
【００４４】
加えて第二実施形態では、周回状の巻線部２３１，２５１が外装部２３７，２５７に収容されることで、当該外装部２３７，２５７によってインダクタ２３０，２５０から外部へ放射される磁界ノイズの一部が遮蔽される。加えて外装部２３７，２５７は、外部で放射された磁界ノイズの一部を遮蔽して、当該外装部２３７，２５７内へ収容された巻線部２３１，２５１における誘導電流の誘起を抑制する。この外装部２３７，２５７による磁界ノイズの遮蔽作用により、インダクタ２３０およびインダクタ２５０を近接させた場合においても、一方のインダクタから放射された磁界ノイズに起因した他方のインダクタの誤作動が引き起こされ難い。故に、インダクタ２３０，２５０の作動を損なうことなく、インダクタ２３０およびインダクタ２５０の間のずれを小さくできるので、効果的に磁界ノイズを打ち消し合わせることができるのである。
【００４５】
（第三，第四実施形態）
図４に示すように、本発明の第三実施形態は第二実施形態の変形例である。第二実施形態における電子回路装置３００では、回路基板３１０の異なる面に、インダクタ２３０，２５０が実装されている。尚、インダクタ２３０が実装されている面を回路基板３１０の表面側とする。加えて図４では、回路基板３１０に実装される他の電子素子等は省略する。
【００４６】
第三実施形態において、インダクタ２３０が実装される第一方向３３０ｄは、図４において回路基板３１０の平面方向に沿って左方向とする。加えて、インダクタ２５０が実装される第二方向３５０ｄは、第一方向３３０ｄと同一方向であって、図４において回路基板３１０の平面方向に沿って左方向とする。また、インダクタ２５０は、インダクタ２３０に対して、第一方向３３０ｄと直交する方向であって、回路基板３１０の板厚方向にずれた位置に配置されている。
【００４７】
図５に示すように、本発明の第四実施形態は第三実施形態の変形例である。第三実施形態における電子回路装置４００では、回路基板４１０の同一の面に、インダクタ２３０，２５０が実装されている。尚、図５においては、回路基板４１０に実装される他の電子素子等は省略する。
【００４８】
第四実施形態において、インダクタ２３０が実装される第一方向４３０ｄは、回路基板４１０の平面方向に沿った方向であって、図４において上方向とする。加えて、インダクタ２５０が実装される第二方向４５０ｄは、第一方向４３０ｄと同一方向であって、回路基板４１０の平面方向に沿った、図４の上方向とする。また、インダクタ２５０は、インダクタ２３０に対して、第一方向３３０ｄと直交する方向であって、回路基板４１０の平面方向に沿ってずれた位置に配置されている。
【００４９】
以上の第三実施形態および第四実施形態の配置によれば、それぞれのインダクタ２３０，２５０の陽極２３０ｈ，２５０ｈ同士、および陰極２３０ｂ，２５０ｂ同士が等しく近接することとなる。故に、インダクタ２３０の両磁極２３０ｈ，２３０ｂ近傍に形成される磁束２３０ｆと、インダクタ２５０の両磁極２５０ｈ，２５０ｂ近傍に形成される磁束２５０ｆとを、広範囲に亘って対向に近い角度で交差させ得る。故に、それぞれのインダクタ２３０，２５０から放射される磁界がさらに効果的に打ち消しあうのである。したがって、放射される磁界ノイズの低減を実現する電子回路装置３００，４００を提供することができるのである。
【００５０】
（第五実施形態）
図６に示すように、本発明の第五実施形態は第一実施形態のさらに別の変形例である。
【００５１】
第五実施形態における電子回路装置５００は、インダクタ３０が実装される第一回路基板部５１０ａ、およびインダクタ５０が実装され、第一回路基板部５１０ａと相対して配置される第二回路基板部５１０ｂを備える。加えて、電気回路５２０は、第一回路基板部５１０ａに設けられる電源供給回路部５２１ａ、および第二回路基板部５１０ｂに設けられる照明駆動回路部５２１ｂを有している。さらに、インダクタ３０は電源供給回路部５２１ａに接続されており、インダクタ５０は照明駆動回路部５２１ｂに接続されている。
【００５２】
第五実施形態におけるインダクタ３０は、第一回路基板部５１０ａの第二回路基板部５１０ｂ側に配置されている。加えてインダクタ３０の実装方向である第一方向５３０ｄは、第一回路基板部５１０ａの板厚方向に沿って第一回路基板部５１０ａ側から第二回路基板部５１０ｂ側に向う方向である。また、インダクタ５０は、第二回路基板部５１０ｂの第一回路基板部５１０ａ側に配置されている。加えてインダクタ５０の実装方向である第二方向５５０ｄは、第二回路基板部５１０ｂの板厚方向に沿って第二回路基板部５１０ｂ側から第一回路基板部５１０ａ側に向う方向である。
【００５３】
第五実施形態における電気回路５２０は、例えば車載される計器であって、ステッパモータ、ダイオード、制御回路等を備える計器に用いられる電気回路である。電源供給回路部５２１ａは、ステッパモータ、ダイオード、制御回路等に電力を供給する回路部である。電源供給回路部５２１ａに接続されているインダクタ３０は、当該電源供給回路部５２１ａに供給される電流の平滑化を行う。照明駆動回路部５２１ｂは、ダイオードに電力を供給して発光させる回路部である。照明駆動回路部５２１ｂに接続されているインダクタ５０は、当該照明駆動回路部５２１ｂに供給される電流の平滑化を行う。尚、第五実施形態においては、電源供給回路部５２１ａが請求項に記載の「第一回路部」に、照明駆動回路部５２１ｂが請求項に記載の「第二回路部」に、それぞれ相当する。
【００５４】
第五実施形態では、電子回路装置５００が第一回路基板部５１０ａおよび第二回路基板部５１０ｂを備えるとともに、インダクタ３０およびインダクタ５０が異なる第一回路基板部５１０ａおよび第二回路基板部５１０ｂに実装される。以上の構成においても、インダクタ３０およびインダクタ５０の双方に磁極が形成されて、近接する陽極３０ｈ，５０ｈ近傍に形成される磁束３０ｆおよび磁束５０ｆを交差させることができる。故に、インダクタ３０およびインダクタ５０から放射される磁界ノイズが打ち消しあうこととなる。したがって、それぞれのインダクタ３０，５０が別れて実装され、相対するよう配置された各配線基板部５１０ａ，５１０ｂを備える電子回路装置５００であっても、磁界ノイズの低減を実現することができるのである。
【００５５】
加えて第五実施形態では、インダクタ３０およびインダクタ５０は、第一回路基板部５１０ａおよび第二回路基板部５１０ｂのそれぞれに設けられた、電気回路５２０が有する電源供給回路部５２１ａおよび照明駆動回路部５２１ｂにそれぞれ接続されている。以上の構成においても、インダクタ３０およびインダクタ５０の双方に磁極が形成されて、近接する陽極３０ｈ，５０ｈ近傍に形成される磁束３０ｆおよび磁束５０ｆを交差させることができる。故に、インダクタ３０およびインダクタ５０から放射される磁界ノイズが打ち消しあうこととなる。したがって、それぞれのインダクタ３０，５０が、異なる電源供給回路部５２１ａおよび照明駆動回路部５２１ｂに接続されている場合であっても、磁界ノイズの低減を実現することができるのである。
【００５６】
さらに本発明によるインダクタ３０およびインダクタ５０の配置による磁束３０ｆ，５０ｆを交差させて打ち消しあう作用発揮によれば、インダクタ等の電子素子および電気回路の配線が密集して配置された電子回路装置であっても、磁界ノイズの低減を図ることができる。したがって、空間的制約が厳しく、磁界ノイズによる他の電子機器への影響が懸念される車載用計器の電子回路装置として、本発明は、特に好適なのである。
【００５７】
（第六実施形態）
図７に示すように、本発明の第六実施形態は第五実施形態の変形例である。第六実施形態における電子回路装置６００は、インダクタ１３０ａ，１３０ｂ，１３０ｃが実装される第一回路基板部６１０ａ、およびインダクタ１５０ａ，１５０ｂ，１５０ｃが実装され、第一回路基板部６１０ａと相対して配置される第二回路基板部６１０ｂを備える。
【００５８】
インダクタ１３０ａ，１３０ｂ，１３０ｃは、それぞれ直列に接続されている。そのため、インダクタ１３０ａ，１３０ｂ，１３０ｃのインダクタンスの総和は、インダクタ３０のインダクタンスに等しくなるよう設定されている。また、インダクタ１３０ａ，１３０ｂ，１３０ｃは、すべて第一回路基板部６１０ａの第二回路基板部６１０ｂ側に配置されている。さらに、インダクタ１３０ａ，１３０ｂ，１３０ｃの実装方向である第一方向６３０ｄは、すべて同一方向であって、第一回路基板部６１０ａの板厚方向に沿って第一回路基板部６１０ａ側から第二回路基板部６１０ｂ側に向う方向である。
【００５９】
また、インダクタ１５０ａ，１５０ｂ，１５０ｃは、それぞれ直列に接続されている。そのため、インダクタ１５０ａ，１５０ｂ，１５０ｃのインダクタンスの総和は、インダクタ５０のインダクタンスに等しくなるよう設定されている。また、インダクタ１５０ａ，１５０ｂ，１５０ｃは、すべて第二回路基板部６１０ｂの第一回路基板部６１０ａ側に配置されている。さらに、インダクタ１５０ａ，１５０ｂ，１５０ｃの実装方向である第二方向６５０ｄは、すべて同一方向であって、第二回路基板部６１０ｂの板厚方向に沿って第二回路基板部６１０ｂ側から第一回路基板部６１０ａ側に向う方向である。
【００６０】
第六実施形態では、一つのインダクタが、複数のインダクタに敢えて分割され、直列で接続されている。故に、複数に分割された個々のインダクタから放射される磁束１３０ｆ，１５０ｆは、磁束３０ｆ，５０ｆと比較して弱い。さらに、対向する各インダクタ１３０ａ，１３０ｂ，１３０ｃ，および各インダクタ１５０ａ，１５０ｂ，１５０ｃの各陽極１３０ｈ，１５０ｈが近接して配置されるので、当該各陽極１３０ｈ，１５０ｈ近傍の磁束１３０ｆ，１５０ｆが交差することとなり磁界ノイズ同士が打ち消しあうこととなる。また加えて、第一回路基板部６１０ａに並べて配置された各インダクタ１３０の各磁極同士が近接して配置されるので、当該各磁極近傍の磁束１３０ｆが交差することとなり、磁界ノイズ同士が打ち消しあうこととなる。これは、第二回路基板部６１０ｂに並べて配置された各インダクタ１５０も同様であり、隣接するインダクタ１５０同士で磁界ノイズを打ち消しあうこととなる。したがって、インダクタ３０，５０を複数のインダクタ１３０ａ，１３０ｂ，１３０ｃおよび１５０ａ，１５０ｂ，１５０ｃに分割することにより、磁界ノイズを著しく低減できる電子回路装置６００を提供することができるのである。
【００６１】
（他の実施形態）
以上、本発明の各実施形態について説明したが、本発明は上記実施形態に限定して解釈されるものではなく、その要旨を逸脱しない範囲内において種々の実施形態に適用することができる。
【００６２】
上記実施形態において、各インダクタの導電部は第一方向又は第二方向に対して右回りに周回するよう設けられ、且つ第一方向又は第二方向に向って電流を流す構成であった。そして、この構成により、第一方向又は第二方向に対して右回りに周回する電流４０ａｒの流れを形成していた。しかし、導電部は第一方向又は第二方向に対して左回りに周回するよう設けられ、且つ第一方向又は第二方向とは逆側に向って電流を流す構成でもよい。この構成においても、第一方向又は第二方向に対して右回りに周回する電流４０ａｒの流れが形成される。或いは、各インダクタには、第一方向又は第二方向に対して左回りに周回する電流４０ａｒの流れが形成されてもよい。この場合、各インダクタの導電部は第一方向又は第二方向に対して右回りに周回するよう設けられ、且つ第一方向又は第二方向とは逆側に向って電流を流す構成、又は、各インダクタの導電部は第一方向又は第二方向に対して左回りに周回するよう設けられ、且つ第一方向又は第二方向に向って電流を流す構成、であればよい。
【００６３】
上記実施形態においては、請求項に記載の「第一電子素子」および「第二電子素子」として、同一の仕様のインダクタを用いた例を説明した。しかし、「第一電子素子」および「第二電子素子」は同一の仕様に限定するものではない。さらに、インダクタ以外の周回状の導電部を有する電子素子、例えばトランスや各種のモータ等であってもよい。
【００６４】
上記実施形態において、「第一電子素子」および「第二電子素子」は直列に接続されていたが、並列に接続されていてもよい。また上記実施形態では、「第一電子素子」および「第二電子素子」は、電源供給回路部や照明駆動回路部に接続されていたが、パルス電流が流れる、例えばステッパモータの駆動制御回路に接続されていてもよい。さらには、第一電子素子」および「第二電子素子」に流れる電流は、脈動するパルス電流でなくてもよく、平滑な電流が流れる電気回路に接続されていてもよい。
【００６５】
上記実施形態においては、本発明による電子回路装置を車載用の計器に用いられる例を説明した。しかし、計器以外にも、各種の車載される「電子機器」に用いられる電子回路装置に本発明を適用することが可能である。さらには、車両以外の各種の「電子機器」に用いられる電子回路装置に本発明を適用することが可能である。
【図面の簡単な説明】
【００６６】
【図１】本発明の第一実施形態による電子回路装置のノイズ低減効果を説明するための模式図である。
【図２】本発明の一実施形態による電子回路装置が備える電気回路の構成を示すブロック図である。
【図３】本発明の第一実施形態の変形例であって、第二実施形態による電子回路装置のノイズ低減効果を説明するための模式図である。
【図４】本発明の第二実施形態の変形例であって、第三実施形態による電子回路装置のノイズ低減効果を説明するための模式図である。
【図５】本発明の第三実施形態の変形例であって、第四実施形態による電子回路装置のノイズ低減効果を説明するための模式図である。
【図６】本発明の第一実施形態の別の変形例であって、第五実施形態による電子回路装置のノイズ低減効果を説明するための模式図である。
【図７】本発明の第五実施形態の変形例であって、第六実施形態による電子回路装置のノイズ低減効果を説明するための模式図である。
【符号の説明】
【００６７】
１０，２１０，３１０，４１０  回路基板、５１０ａ，６１０ａ  第一回路基板部、５１０ｂ，６１０ｂ  第二回路基板部、１１  絶縁層、１１ａ  表面側絶縁層、１１ｂ  内部絶縁層、１１ｃ  裏面側絶縁層、１３  配線層、１３ａ  表面側配線層、１３ｂ  電源配線層、１３ｃ  接地配線層、１３ｄ  裏面側配線層、１５  スルーホール、１６  スルーホール・メッキ、１６ａ  実装部、１６ｂ  接続部、１７  被覆層、１８  はんだ、２０，５２０  電気回路、２１，５２１ａ  電源供給回路部（第一回路部）、５２１ｂ  照明駆動回路部（第二回路部）、２３  コンデンサ、３０，１３０ａ，１３０ｂ，１３０ｃ，２３０  インダクタ（第一電子素子）、５０，１５０ａ，１５０ｂ，１５０ｃ，２５０  インダクタ（第二電子素子）、３０ａｘ，２３０ａｘ，５０ａｘ，２５０ａｘ  軸線、３０ｄ，２３０ｄ，３３０ｄ，４３０ｄ，５３０ｄ，６３０ｄ  第一方向、５０ｄ，２５０ｄ，３５０ｄ，４５０ｄ，５５０ｄ，６５０ｄ  第二方向、３０ｂ，２３０ｂ，５０ｂ，２５０ｂ  陰極、３０ｈ，２３０ｈ，５０ｈ，２５０ｈ  陽極、３０ｆ，１３０ｆ，２３０ｆ，５０ｆ，１５０ｆ，２５０ｆ  磁束、２３１，２５１  巻線部（導電部）、３２，５２  内部電極（導電部）、３４，２３４，５４，２５４  外部電極、３４ａ，２３４ａ，５４ａ，２５４ａ  接点部、３６，５６  フェライトコア、２３７，２５７  外装部、４０ａｒ  電流、１００，２００，３００，４００，５００，６００  電子回路装置
【図１】
2010087025.tif 000003
【図２】
2010087025.tif 000004
【図３】
2010087025.tif 000005
【図４】
2010087025.tif 000006
【図５】
2010087025.tif 000007
【図６】
2010087025.tif 000008
【図７】
2010087025.tif 000009